(57)【要約】【課題】複数の記録層を有する光ディスクの種別を正確に判別することが可能な光ディスク種別の判別方法と、この判別方法を用いた光ディスク装置を提供する。【解決手段】複数の記録層を有する光ディスクに対して、対物レンズによって集光されたレーザ光を照射して、装着されている光ディスクの種別を判別する光ディスク種別の判別方法において、対物レンズを光ディスクに対して近づけたときまたは遠ざけたときに得られるフォーカスエラー信号のＳ字振幅と、レーザ光の合焦点におけるフォーカス駆動電圧値をそれぞれの記録層について取得し、それぞれの記録層についてのＳ字振幅の大きさと、フォーカス駆動電圧値の差に基づいて光ディスクの種別を判別する。【選択図】図２
2006079698.tif 000002
【特許請求の範囲】
【請求項１】
複数の記録層を有する光ディスクに対して、対物レンズによって集光されたレーザ光を照射して、装着されている光ディスクの種別を判別する光ディスク種別の判別方法において、対物レンズを光ディスクに対して近づけたときまたは遠ざけたときに得られるフォーカスエラー信号のＳ字振幅と、レーザ光の合焦点におけるフォーカス駆動電圧値をそれぞれの記録層について取得し、それぞれの記録層についての前記Ｓ字振幅の大きさと、前記フォーカス駆動電圧値の差に基づいて光ディスクの種別を判別することを特徴とする光ディスク種別の判別方法。
【請求項２】
複数の記録層を有する光ディスクに対して、対物レンズによって集光されたレーザ光を照射して、装着されている光ディスクの種別を判別して情報の記録または再生の少なくとも一方を行う光ディスク装置において、対物レンズを光ディスクに対して近づけたときまたは遠ざけたときに得られるフォーカスエラー信号のＳ字振幅と、レーザ光の合焦点におけるフォーカス駆動電圧値をそれぞれの記録層について取得する光ディスクコントローラを備え、それぞれの記録層についての前記Ｓ字振幅の大きさと、前記フォーカス駆動電圧値の差に基づいて光ディスクの種別を判別する光ディスク種別判別処理部を有することを特徴とする光ディスク装置。
【発明の詳細な説明】
【技術分野】
【０００１】
本発明は、光ディスク種別を判別する方法と、この光ディスク種別判別方法を用いた光ディスク装置に関する。
【背景技術】
【０００２】
光ディスク装置は、オーディオ用ＣＤをはじめとして、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
このような光ディスク装置においては、一台の光ディスク装置で多種類の光ディスクが使用できるように設計されており、どの種類の光ディスクが装着されているかを検出する機能が必要となる。特に、ＣＤとＤＶＤとでは記録再生に用いられるレーザ光源の発光波長が異なり、これに伴って使用される光学系が異なるため、光ディスクの種別を判別することが重要な意味を持つ。また、ＤＶＤについても、多種類のものが開発されており、どのタイプの光ディスクが装着されているかを判別することが必要となる。また、近年は、１枚の光ディスクに２層の記録層を設けた２層ディスクが使用されており、光ディスク種別の判別が複雑となっている。
【０００４】
以下に、光ディスク種別を判別する従来の方法の一例について説明する。
【０００５】
図５（ａ）は、対物レンズ３１によって集光されたレーザ光３２を光ディスク１に照射している様子を示す図であり、対物レンズ３１が上下に動くことによって、光ディスク１において焦点を結ぶ位置が変化する。図５（ｂ）は、その合焦点の変化を示す図であり、対物レンズ３１をその初期位置から光ディスク１の記録層３３に近づけると、対物レンズ３１と記録層３３との間の距離が対物レンズ３１の焦点距離となったときに、レーザ光は記録層３３上に合焦する。
【０００６】
図５（ｃ）は、対物レンズ３１の移動に伴うフォーカスエラー信号と、フォーカス駆動信号を示す図。対物レンズ３１が光ディスク１の記録層３３に近づき、合焦点を経て記録層３３から遠ざかるときに、Ｓ字信号が検出される。また、対物レンズ３１は、図５（ｃ）に示すフォーカス駆動電圧によって駆動される。
【０００７】
図６（ａ）、（ｂ）に、種別の異なる光ディスクにレーザ光を照射したときのＳ字信号を示す。図６（ａ）は、ＤＶＤ系の光ディスクにレーザ光を照射した場合を示す図であり、ＤＶＤ用のレーザ光を照射したときのＳ字振幅は大きく、ＣＤ用のレーザ光を照射したときのＳ字振幅は小さくなる。図６（ｂ）は、ＣＤ系の光ディスクにレーザ光を照射した場合を示す図であり、ＤＶＤ用のレーザ光を照射したときのＳ字振幅は小さく、ＣＤ用のレーザ光を照射したときのＳ字振幅は大きくなる。このように、照射されるレーザ光の種別と、光ディスクの種別によって、Ｓ字振幅の大きさが異なる。
【０００８】
図６（ｃ）は、１枚の光ディスクに記録層が２層形成された２層ディスク（Ｓｕｐｅｒ
Ａｕｄｉｏ  ＣＤ（ハイブリッド））を示す図であり、この例ではその一方がＣＤ層であり、他方がＤＶＤ層である。合焦点位置がＣＤ層とＤＶＤ層とで異なるため、それぞれの層においてＳ字信号が検出される。
【０００９】
図７は、従来の光ディスク種別を判別する処理手順の一例を示す図である。
【００１０】
光ディスク装置が起動されると（Ｓ１１）、上述したように対物レンズが光ディスクに近づいてフォーカスサーチされ、フォーカスエラー信号のＳ字振幅が取得され、このＳ字振幅の大小を検出して、装着された光ディスクがＣＤ系であるかＤＶＤ系であるかを判別する（Ｓ１２）。ＣＤ系であると判定された後、ディスク情報を取得することでＣＤ−ＲＯＭ、ＣＤ−Ｒ、ＣＤ−ＲＷのいずれであるかを判別し処理を終了する（Ｓ１６）。ＤＶＤ系であると判定されると（Ｓ１３）、フォーカスオン、トラッキングオンの状態にして、トラッキングエラー信号振幅を取得する（Ｓ１４）。このトラッキングエラー信号振幅に基づいて、装着された光ディスクがＤＶＤ−ＲＯＭ、ＤＶＤ±Ｒ、ＤＶＤ±ＲＷ、ＤＶＤ−ＲＡＭのいずれであるかを判別する。次に、記録層における反射光量を取得し（Ｓ１５）、この反射光量に基づいて、１層ディスクであるか（Ｓ１７）、２層ディスクであるかを判別する（Ｓ１８）。
【００１１】
光ディスクの種別を判別することを目的とした技術の一例が、（特許文献１）に記載されている。
【特許文献１】特開２００４−２２０３３号公報
【発明の開示】
【発明が解決しようとする課題】
【００１２】
しかし、従来の判別方法では、ＣＤ系とＤＶＤ系の判別や、１層ディスクと２層ディスクの判別は可能であるものの、２層ディスクの種別を正確に判別することは困難であり、装着されるべき光ディスクと種別の異なる光ディスクが装着されている場合には、正しい記録再生が開始されるまでに長時間を要していた。
【００１３】
本発明は、上記の課題を解決するためになされたもので、複数の記録層を有する光ディスクの種別を正確に判別することが可能な光ディスク種別判別方法と、これを用いた光ディスク装置を提供することを目的とする。
【課題を解決するための手段】
【００１４】
本発明は、上記の課題を解決するためになされたもので、複数の記録層を有する光ディスクに対して、対物レンズによって集光されたレーザ光を照射して、装着されている光ディスクの種別を判別する光ディスク種別の判別方法において、対物レンズを光ディスクに対して近づけたときまたは遠ざけたときに得られるフォーカスエラー信号のＳ字振幅と、レーザ光の合焦点におけるフォーカス駆動電圧値をそれぞれの記録層について取得し、それぞれの記録層についての前記Ｓ字振幅の大きさと、前記フォーカス駆動電圧値の差に基づいて光ディスクの種別を判別することを特徴とする光ディスク種別の判別方法である。
【発明の効果】
【００１５】
本発明によると、複数の記録層を有する光ディスクの種別を正確に判別することが可能となり、記録または再生を開始するまでの待ち時間を短縮することができる。
【発明を実施するための最良の形態】
【００１６】
本願の第１の発明は、複数の記録層を有する光ディスクに対して、対物レンズによって集光されたレーザ光を照射して、装着されている光ディスクの種別を判別する光ディスク種別の判別方法において、対物レンズを光ディスクに対して近づけたときまたは遠ざけたときに得られるフォーカスエラー信号のＳ字振幅と、レーザ光の合焦点におけるフォーカス駆動電圧値をそれぞれの記録層について取得し、それぞれの記録層についての前記Ｓ字振幅の大きさと、前記フォーカス駆動電圧値の差に基づいて光ディスクの種別を判別することを特徴とする光ディスク種別の判別方法である。
【００１７】
記録層の種別によって、集光されたレーザ光が記録層に照射されたときのフォーカスエラー信号のＳ字振幅の大きさが異なり、また、レーザ光の合焦点におけるフォーカス駆動電圧値の差も異なる。本発明は、このことを利用して光ディスク種別を判別するものであり、複数の記録層を有する光ディスクの種別を正確に判別することが可能となり、記録または再生を開始するまでの待ち時間を短縮することができる。
【００１８】
本願の第２の発明は、複数の記録層を有する光ディスクに対して、対物レンズによって集光されたレーザ光を照射して、装着されている光ディスクの種別を判別して情報の記録または再生の少なくとも一方を行う光ディスク装置において、対物レンズを光ディスクに対して近づけたときまたは遠ざけたときに得られるフォーカスエラー信号のＳ字振幅と、レーザ光の合焦点におけるフォーカス駆動電圧値をそれぞれの記録層について取得する光ディスクコントローラを備え、それぞれの記録層についての前記Ｓ字振幅の大きさと、前記フォーカス駆動電圧値の差に基づいて光ディスクの種別を判別する光ディスク種別判別処理部を有することを特徴とする光ディスク装置である。
【００１９】
この光ディスク装置によると、複数の記録層を有する光ディスクの種別を正確に判別することが可能となり、記録または再生を開始するまでの待ち時間を短縮することができる。
【００２０】
以下、本発明の実施の形態について、図面を参照しながら説明する。
【００２１】
図１は本発明の実施の形態に係る光ディスク装置のブロック図である。図１において、１は記録可能な光ディスク、２はピックアップモジュールであり、ピックアップモジュール２には、光ディスク１を可変的に回転させたりあるいは一定回転させたりするスピンドルモータ３、光ディスク１に光を照射することで光ディスク１に所定の情報を記録したりあるいは光ディスク１に照射した光の反射光を元に情報を読み出したりする光ピックアップ４、光ピックアップ４を搭載したキャリッジ５、キャリッジ５を光ディスク１の半径方向に往復移動させるように駆動するフィード部６、フィード部６の駆動源となるフィードモータ７がそれぞれ固定されており、この様な構成によって、小型／薄型の光ディスクを実現している。８はアナログ信号処理部、９はサーボ処理部、１０はモータ駆動部、１１はディジタル信号処理部、１２はレーザ駆動部、１３はコントローラである。
【００２２】
以上のように構成された本発明の実施の形態における光ディスク装置の動作について説明する。図１において、ピックアップモジュール２は、光ディスク１を回転させるスピンドルモータ３と光ディスク１の情報信号を読み取るための光ピックアップ４と光ピックアップ４が搭載されたキャリッジ５を光ディスク１の半径方向に移動させるためのフィード部６が構成されたものである。
【００２３】
フィード部６はフィードモータ７、ギヤ（図示せず）、スクリューシャフト（図示せず）等から構成され、フィードモータ７を回転させることによってキャリッジ５が光ディスク１の内周−外周間を移動するように構成されている。
【００２４】
アナログ信号処理部８はピックアップモジュール２の内部に構成されるキャリッジ５中の光ピックアップ４内部の光センサ（図示せず）からの信号出力を基に、フォーカスエラー信号とトラッキングエラー信号を生成し、サーボ処理部９に出力する。
【００２５】
サーボ処理部９はアナログ信号処理部８から送られてきたアナログ信号をディジタル信号に変換するＡ／Ｄ変換器、Ａ／Ｄ変換器で変換されたディジタル信号を一時的に記憶するメモリ、メモリに記録されたディジタル信号あるいはＡ／Ｄ変換器から送られてきたディジタル信号を所定の方法で演算する演算回路、演算回路にて演算されたディジタル信号
をアナログ信号に変換するＤ／Ａ変換機等によって構成され、光ビームスポットが光ディスク１の情報トラックに追従するようにフィルタ信号処理や各種演算処理をディジタル演算によって行う構成になっている。このため、コントローラ１３からの司令によりいろいろなパラメータ設定やシーケンス制御がフレキシブルに行うことができる。
【００２６】
そしてサーボ処理部９はモータ駆動部１０を介して光ピックアップ４に搭載されている対物レンズをフォーカス方向／トラッキング方向に移動させる制御、フィード部６の移送制御、さらにスピンドルモータ３の回転制御等を行う。
【００２７】
再生動作時は、光ディスク１に光ピックアップ４から光を照射し、その光ディスク１からの反射光を図示していない受光素子で受光し、その受光した光に応じて光ピックアップ４から出力された再生信号がアナログ信号処理部８を介してディジタル信号処理部１１に入力される。
【００２８】
ディジタル信号処理部１１はデータスライサ、データＰＬＬ回路、ジッタ測定回路、エラー訂正部、変／復調部、バッファメモリ、レーザ制御部等から構成されており、ホスト（図中のＨＯＳＴ）側へ有効なデータとして転送される。
【００２９】
記録動作時は、ディジタル信号処理部１１によってホストから送られてきたデータを変調し、レーザ制御部によってレーザ駆動部１２を介して光ピックアップ４内のレーザ（図示せず）等の光源に所定の電流を供給し、光源を例えばパルス状に発光させ、光ディスク１の情報トラックに記録を行う。コントローラ１３はこのように構成された光ディスク装置全体のコントロールを行うものである。
【００３０】
図２は、２層の記録層を有する２層ディスクに対してレーザ光を照射したときのフォーカスエラー信号と、フォーカス駆動信号とを示している。まず、ＤＶＤ用レーザ光を点灯させて２層ディスクに対して対物レンズを近づけ、ＤＶＤ用レーザ光が２つの記録層のそれぞれで合焦する位置付近で、２つのＳ字振幅を取得する。また、これらの合焦点でのフォーカス駆動電圧値を取得し、２つの合焦点でのフォーカス駆動電圧値の差を記憶する。その後、対物レンズを２層ディスクから遠ざけて初期位置付近に戻す。
【００３１】
次に、ＣＤ用レーザ光を点灯させて２層ディスクに対して対物レンズを近づけて、ＣＤ用レーザ光が２つの記録層のそれぞれで合焦する位置付近で、２つのＳ字振幅を取得する。また、これらの合焦点でのフォーカス駆動電圧値を取得し、２つの合焦点でのフォーカス駆動電圧値の差を記憶する。その後、対物レンズを２層ディスクから遠ざけて初期位置付近に戻す。
【００３２】
現状において、２層ディスクとしては、ＤＶＤ−ＲＯＭ２層ディスク、ＤＶＤ＋Ｒ２層ディスク、ＤＶＤ層とＣＤ層とが形成されたディスク（Ｓｕｐｅｒ  Ａｕｄｉｏ  ＣＤ）の３種類がある。このうち、Ｓｕｐｅｒ  Ａｕｄｉｏ  ＣＤは、２つの記録層差が約０．６ｍｍあり、２つの合焦点でのフォーカス駆動電圧値の差が大きくなるのに対し、ＤＶＤ−ＲＯＭ２層ディスクとＤＶＤ＋Ｒ２層ディスクは、２つの記録層差が約５５μｍであり、２つの合焦点でのフォーカス駆動電圧値の差が小さい。従って、２つの合焦点でのフォーカス駆動電圧値の差に基づいて、Ｓｕｐｅｒ  Ａｕｄｉｏ  ＣＤであるか、ＤＶＤ−ＲＯＭ２層ディスクまたはＤＶＤ＋Ｒ２層ディスクであるかの判別を行うことができる。
【００３３】
また、ＤＶＤ−ＲＯＭ２層ディスクとＤＶＤ＋Ｒ２層ディスクとでは、記録層での光の反射率が異なるため、Ｓ字振幅の大きさが異なる。Ｓ字振幅は、ＤＶＤ＋Ｒ２層ディスクで大きく、ＤＶＤ−ＲＯＭ２層ディスクで小さいため、Ｓ字振幅に基づいて、ＤＶＤ−ＲＯＭ２層ディスクであるかＤＶＤ＋Ｒ２層ディスクであるかの判別を行うことができる。
【００３４】
このように、フォーカスエラー信号のＳ字振幅と、２つの合焦点でのフォーカス駆動電圧値の差に基づいて、２層ディスクの種別判別が可能となる。この判別方法は、複数の記録層を有する光ディスクにおいて、それぞれの記録層におけるＳ字振幅の大きさが異なり、合焦点でのフォーカス駆動電圧値の差に違いがあるものであれば、様々な光ディスクに対して広く適用することが可能である。
【００３５】
図３は、本発明の光ディスク種別の判別処理手順を示す図である。
【００３６】
光ディスク装置が起動されると（Ｓ１）、対物レンズが光ディスクに近づいてフォーカスサーチされ、フォーカスエラー信号のＳ字振幅を取得するとともに、この合焦点でのフォーカス駆動電圧値を取得し、このＳ字振幅の大小を検出して、装着された光ディスクがＣＤ系であるかＤＶＤ系であるかを判別する（Ｓ２）。ＣＤ系であると判定されると、その後ディスク情報を取得することでＣＤ系の各判別を行ない、判別処理を終了する（Ｓ３）。ＤＶＤ系であると判定されると、Ｓ字振幅が検出された数に基づいて、ＤＶＤ１層ディスクであるかＤＶＤ２層ディスクであるかを判別し、ＤＶＤ１層ディスクであると判定されると、判別処理を終了する（Ｓ５）。ＤＶＤ２層ディスクであると判定されると、上述したように、Ｓ字振幅の大きさと、２つの合焦点でのフォーカス駆動電圧値の差に基づいて、ＤＶＤ２層ディスクのうちのいずれの光ディスクであるかを判別する（Ｓ４）。
【００３７】
図４に、上述した光ディスク種別の判別処理を実行する装置の構成を示す。
【００３８】
光ディスク１はスピンドルモータ３によって回転し、光ディスク１にはピックアップモジュール２に設けられた光源から発せられるレーザ光が照射される。スピンドルモータ３はスピンドルドライバー２２によって駆動され、光ディスクコントローラ２１がスピンドルドライバー２２を制御している。光ディスクコントローラ２１はまた、フロントエンドプロセッサ２３を介してピックアップモジュール２を制御している。Ｓ字振幅の測定と、フォーカス駆動電圧値の取得は、光ディスクコントローラ２１によって行われる。測定によって得られたデータは、必要に応じて記憶装置である外付けフラッシュロム２５に蓄積される。ＣＰＵ２４は、これらのデータに基づいて、光ディスク種別の判別処理を実行する、光ディスク種別判別処理部として機能する。
【産業上の利用可能性】
【００３９】
本発明は、複数の記録層を有する光ディスクの種別を正確に判別することが可能であり、記録または再生を開始するまでの待ち時間を短縮することができる光ディスク装置として利用することができる。
【図面の簡単な説明】
【００４０】
【図１】本発明の実施の形態に係る光ディスク装置のブロック図
【図２】２層ディスクに対してレーザ光を照射したときのフォーカスエラー信号と、フォーカス駆動信号とを示す図
【図３】本発明の光ディスク種別の判別処理手順を示す図
【図４】光ディスク種別の判別処理を実行する装置の構成を示す図
【図５】（ａ）対物レンズによって集光されたレーザ光を光ディスクに照射している様子を示す図、（ｂ）その合焦点の変化を示す図、（ｃ）対物レンズの移動に伴うフォーカスエラー信号と、フォーカス駆動信号を示す図
【図６】（ａ）ＤＶＤ系の光ディスクにレーザ光を照射した場合を示す図、（ｂ）ＣＤ系の光ディスクにレーザ光を照射した場合を示す図、（ｃ）１枚の光ディスクに記録層が２層形成された２層ディスクを示す図
【図７】従来の光ディスク種別を判別する処理手順の一例を示す図
【符号の説明】
【００４１】
１    光ディスク
２    ピックアップモジュール
３    スピンドルモータ
４    光ピックアップ
５    キャリッジ
６    フィード部
７    フィードモータ
８    アナログ信号処理部
９    サーボ処理部
１０    モータ駆動部
１１    ディジタル信号処理部
１２    レーザ駆動部
１３    コントローラ
２１    光ディスクコントローラ
２２    スピンドルドライバー
２３    フロントエンドプロセッサ
２４    ＣＰＵ
２５    外付けフラッシュロム
３１    対物レンズ
３２    レーザ光
３３    記録層
【図１】
2006079698.tif 000003
【図２】
2006079698.tif 000004
【図３】
2006079698.tif 000005
【図４】
2006079698.tif 000006
【図５】
2006079698.tif 000007
【図６】
2006079698.tif 000008
【図７】
2006079698.tif 000009